(57)【要約】【課題】簡便に、コスト低く、かつ騒音を生じさせることもなく、記録紙が通紙されない定着ローラの領域があっても、かかる非通紙領域の温度を的確に制御でき、また、定着ローラの速度に関らずに定着ローラの加熱領域の正しい温度に基づいた的確な定着ローラの温度制御をできるようにする。【解決手段】通紙される記録紙に定着処理をする定着ローラと、磁束を生成するコイルを有し、当該コイルにより生成する磁束により前記定着ローラを誘導加熱する誘導加熱手段と、前記コイルに直列に接続された第二のコイルを備えており、当該第二のコイルにより生成する磁束によって誘導発熱をする模擬発熱手段と、前記定着ローラの温度と予め定められた温度関係にある、前記模擬発熱手段による誘導発熱の温度を、予め定められた温度に保つべく前記誘導加熱手段の駆動を制御する制御手段とを備える画像形成装置。【選択図】図２
2008209869.tif 000002
【特許請求の範囲】
【請求項１】
通紙される記録紙に定着処理をする定着ローラと、
磁束を生成するコイルを有し、当該コイルにより生成する磁束により前記定着ローラを誘導加熱する誘導加熱手段と、
前記コイルに直列に接続された第二のコイルを備えており、当該第二のコイルにより生成する磁束によって誘導発熱をする模擬発熱手段と、
前記定着ローラの温度と予め定められた温度関係にある、前記模擬発熱手段による誘導発熱の温度を、予め定められた温度以下に保つべく前記誘導加熱手段の駆動を制御する制御手段とを備える画像形成装置。
【請求項２】
前記第一および第二のコイルに直列に接続され、前記模擬発熱手段による誘導発熱の温度が予め定められた温度以上のときに当該各コイルへの通電を切る過電流防止器を備える請求項１記載の画像形成装置。
【請求項３】
前記模擬発熱手段は、前記誘導加熱手段の前記コイルが生成する磁束が届かない位置に設けられた請求項１または２記載の画像形成装置。
【請求項４】
前記制御手段は、前記定着ローラに当該定着ローラの長手方向に当該定着ローラよりも小さいサイズの記録紙が通紙されるときに、当該定着ローラの前記記録紙が通紙されない非通紙領域の温度に対して予め定められた温度関係のある、前記模擬発熱手段による誘導発熱の温度が、予め定められた温度を超えたときに、前記誘導加熱手段の駆動を抑制する請求項１記載の画像形成装置。
【請求項５】
前記制御手段は、前記定着ローラに前記小さいサイズの記録紙が通紙されるときに、前記模擬発熱手段による誘導発熱の温度が前記予め定められた温度を超えると、当該定着ローラの前記記録紙が通紙される通紙領域と、前記記録紙が通紙がされない非通紙領域との間の温度勾配を、当該定着ローラへの記録紙の通紙間隔を通常時よりも長くさせることにより解消させる請求項４記載の画像形成装置。
【発明の詳細な説明】
【技術分野】
【０００１】
本発明は、通紙される記録紙に定着処理をする定着ローラと、前記定着ローラを誘導加熱する誘導加熱手段と、前記誘導加熱手段の駆動を制御する制御手段とを備える画像形成装置に関する。
【背景技術】
【０００２】
従来より、記録紙に形成されたトナー像を定着装置によって加熱して記録紙に定着させる画像形成装置が用いられている。定着装置には、記録紙に熱を付与する定着ローラと、コイルにより磁束を発生することによりこの定着ローラを誘導加熱する誘導加熱部とが設けられる。定着ローラは、磁束を受けて誘導加熱される誘導発熱体として構成される。
【０００３】
ここに、近年では、定着ローラを急速加熱できるように、定着ローラの部材を薄肉化するなどによって、定着ローラの熱容量が小さくなるようにされているので、定着ローラの長手方向つまり定着ローラ回転軸の方向の熱流が阻害され易く、定着ローラの長手方向の一杯に記録紙が通紙される最大サイズの記録紙の通紙ではない、小さなサイズの記録紙が通紙されるときには、長手方向の周辺部すなわち定着ローラの端部で、定着ローラの熱が記録紙へも定着ローラの他の箇所へも逃げず、かかる端部が中央部等よりも高い温度になってしまうことがあった。
【０００４】
かかる温度勾配が生じた場合には、その端部でトナーが、高い温度により定着ローラへ溶着するいわゆるホットオフセットが生じるなど、定着ローラなどの各部がいたんでしまうのは勿論、高温が誘導加熱部のコイルへ伝わることによりコイルの磁束発生効率が低下する問題も生じる。
【０００５】
そこで、かかる定着ローラの端部が高温となることを抑制する技術が様々に考えられており、主だったものは以下の通りである。特許文献１では、かかる端部に誘導発熱における磁束を遮蔽する磁束遮蔽板を設けることを示している。また、特許文献２、３では、定着ローラを一定のキューリー点の材料のものにして定着ローラの長手方向の温度を均一化させることを示している。また、特許文献４では、定着ローラの長手方向に、磁束を発生させるコイルを複数、誘導加熱部に設けて、箇所毎に誘導加熱を制御することを示している。
【０００６】
なお、誘導加熱部は、定着ローラが圧ローラに押圧当接されると共に記録紙が通紙されるニップ部の近くに設けられており、定着ローラのかかるニップ部を加熱する。そして、かかる定着ローラのニップ部（以下、加熱領域と呼ぶ）の近傍には圧ローラや誘導加熱部があり、また、記録紙が通紙され、特に誘導発熱の効率の点から誘導加熱部は加熱領域の十分に近くに設ける必要があり、定着ローラの温度制御をするための温度センサはかかる加熱領域の近くに設けることがレイアウト上できない。そこで、かかる加熱領域に対して定着ローラの回転方向の下流側の位置に温度センサを設け、これにより、定着ローラの各部が回転につれて加熱領域からこの温度センサの位置に移動することで、移動した部分の温度を、下流側のその温度センサが設けられた位置で検出することにより、加熱領域の温度を検出するようにしている。
【特許文献１】特開２００５−１９０７２８号公報
【特許文献２】特開２０００−３５７２４号公報
【特許文献３】特開２０００−１６２９１２号公報
【特許文献４】特開平１１−１５３０４号公報
【発明の開示】
【発明が解決しようとする課題】
【０００７】
しかしながら、定着ローラの長手方向の端部の温度が高くなるのを抑制する特許文献１〜４の技術には次の欠点があった。すなわち、遮蔽板を用いる方法では（特許文献１）、用紙のサイズが大きいか小さいかその違いに合わせて磁束を遮蔽する領域を変更できる可動のものであって、複雑で大きい機構を要する。また、一定のキューリー点を有する材料を定着ローラに用いる方法では（特許文献２，３）、かかる特別な構成を実現することが困難であるし、実現できてもキューリー点の精度が悪くて適切に温度の均一化を図れないし、また、コストが高くなる。また、複数のコイルを設ける場合（特許文献４）、構成が大掛かりになってしまい、コスト高となるのに加えて、コイル間で相互誘導が生じることにより、一様な温度分布を生じる的確な磁束生成の制御をすることが困難である。また、各コイルの間での干渉音で騒音も生じる。１つのコイルでの発熱の間は、別のコイルでの発熱を行なわないことも考えられるが、これでは却ってコイル毎に温度差を生じてしまう。
【０００８】
また、加熱領域の下流側で温度を検出することには、次の欠点があった。つまり、機械ロックが生じるなどの原因により、定着ローラの回転が停止してしまうと、加熱領域の温度に関係なく、温度センサの位置では放熱により温度が低下してゆくので、かかる不正確な温度が検出されて、加熱を停止させることができないのは勿論、誤って、定着ローラを加熱してしまうことがあった。また、かかる機械ロックが生じないときでも、記録紙が通常の速度ではなく半速モードで通紙されるときにも、定着装置の回転が半分になり、加熱領域から温度センサの位置までの定着ローラ各部の移動時間が長くなり、加熱領域の温度の検出が遅れて、現在の正確な温度が分からなくなる。
【０００９】
本発明は、これらの点に鑑みてなされたものであり、簡便に、コスト低く、かつ騒音を生じさせることもなく、記録紙が通紙されない定着ローラの領域があっても、かかる非通紙領域の温度を的確に制御でき、しかも、定着ローラの速度に関らずに定着ローラの加熱領域の正しい温度に基づいた温度制御をできるようにすることを目的とする。
【課題を解決するための手段】
【００１０】
請求項１記載の画像形成装置は、通紙される記録紙に定着処理をする定着ローラと、磁束を生成するコイルを有し、当該コイルにより生成する磁束により前記定着ローラを誘導加熱する誘導加熱手段と、前記コイルに直列に接続された第二のコイルを備えており、当該第二のコイルにより生成する磁束によって誘導発熱をする模擬発熱手段と、前記定着ローラの温度と予め定められた温度関係にある、前記模擬発熱手段による誘導発熱の温度を、予め定められた温度以下に保つべく前記誘導加熱手段の駆動を制御する制御手段とを備える画像形成装置である。
【００１１】
この構成にすれば、定着ローラの温度は通紙領域・非通紙領域で温度差が生じるため、定着ローラの温度を検出することにより定着ローラの温度を適正に保つ制御は困難であるが、かかる通紙領域・非通紙領域の影響を受けないため、かかる模擬発熱手段の誘導発熱による温度に基づいた誘導加熱手段の駆動制御による温度制御により、定着ローラの各領域のうち非通紙領域の温度を的確に制御することができる。
【００１２】
なお、かかる構成であれば、機械的な可動部等を有した複雑な構成を必要せず、また、特別なキューリ点を有する特殊な材料が必要となることもなく、また、複数のコイルの複雑な駆動制御が必要になることもなく、簡単な構成で安価かつ容易に装置を実現でき、また、複数のコイルの同時駆動による干渉音などの、騒音が生じてしまうこともなく、静かに動作させることができる。そして、模擬発熱手段は、定着ローラを加熱するコイルを複数設けることをする場合等と比べて、簡単な構成で装置を実現し、装置を低いコストで実現することができる。
【００１３】
また、この構成であれば、前記誘導加熱手段の誘導加熱で加熱される定着ローラの加熱領域の温度に対応した温度制御を当該加熱領域の温度変化に対して遅れなく的確にでき、定着ローラがロックにより停止しているか否かや、定着ローラが半速モードで回転されているかなどに拘わらずに、要するに定着ローラの回転速度に拘わらずに、確実に遅れなく、定着ローラの加熱領域の正しい温度に対応した適切な温度制御をできる。
【００１４】
制御手段は、たとえば、前記温度関係を特定する温度関係特定情報を記憶する記憶部を備え、定着ローラの温度の目標温度に対して、当該記憶部に記憶された前記温度関係が対応させる温度を、模擬発熱手段の温度の目標温度として、前記誘導加熱手段の駆動の制御を行なう。
【００１５】
請求項２記載の画像形成装置は、前記第一および第二のコイルに直列に接続され、前記模擬発熱手段による誘導発熱の温度が予め定められた温度以上のときに当該各コイルへの通電を切る過電流防止器を備える請求項１記載の画像形成装置である。
【００１６】
この構成にすれば、過電流防止器により、模擬発熱手段における誘導発熱での温度が予め定められた温度になると、定着ローラの誘導加熱を停止させることができ、定着ローラの過昇温を抑制して、画像形成装置の安全性を向上させることができる。
【００１７】
なお、過電流防止器は、サーモスタットまたは温度ヒューズの少なくともいずれか一方を含むものであってもよい。
【００１８】
請求項３記載の画像形成装置は、前記模擬発熱手段は、前記誘導加熱手段の前記コイルが生成する磁束が届かない位置に設けられた請求項１または２記載の画像形成装置である。
【００１９】
この構成にすれば、誘導加熱手段の発生させた磁束によって模擬発熱手段で不測の誘導発熱が生じることにより、模擬発熱手段による誘導発熱の温度が不正確となり、ひいては誘導加熱手段の加熱の制御が不正確となることにより、定着ローラの温度制御が不正確になる事態を回避することができ、確実に適切な温度制御をすることができる。
【００２０】
請求項４記載の画像形成装置は、前記制御手段は、前記定着ローラに当該定着ローラの長手方向に当該定着ローラよりも小さいサイズの記録紙が通紙されるときに、当該定着ローラの前記記録紙が通紙されない非通紙領域の温度に対して予め定められた温度関係のある、前記模擬発熱手段による誘導発熱の温度が、予め定められた温度を超えたときに、前記誘導加熱手段の駆動を抑制する請求項１記載の画像形成装置である。
【００２１】
この構成にすれば、小さいサイズの記録紙が通紙されたときに、模擬発熱手段による誘導発熱の温度が予め定められた温度を超えると、誘導加熱手段の駆動を抑制することにより、非通紙領域で過昇温が生じることを抑制することができる。
【００２２】
請求項５記載の画像形成装置は、前記制御手段は、前記定着ローラに前記小さいサイズの記録紙が通紙されるときに、前記模擬発熱手段による誘導発熱の温度が前記予め定められた温度を超えると、当該定着ローラの前記記録紙が通紙される通紙領域と、前記記録紙が通紙がされない非通紙領域との間の温度勾配を、当該定着ローラへの記録紙の通紙間隔を通常時よりも長くさせることにより解消させる請求項４記載の画像形成装置である。
【００２３】
この構成にすれば、模擬発熱手段による誘導発熱の温度が予め定められた温度を超えると、単に誘導加熱手段の駆動を抑制することにより非通紙領域の温度上昇を抑制するのに止まらずに、非通紙領域の温度と通紙領域の温度との間に生じた温度勾配を解消させることができ、通紙領域の温度を制御するのに誘導加熱手段を駆動しても非通紙領域で過昇温が生じないように定着ローラの温度分布を均一に戻させて、定着ローラによる定着処理を続けても非通紙領域での過昇温が生じ難くなるようにできる。
【００２４】
ここに、「（温度勾配を）解消させる」とは、完全に解消させる場合のみでなく、ある程度解消させることも含まれるし、「定着ローラの温度分布を均一に戻させ」というのも、完全に戻させる場合のみでなく、ある程度、戻させる場合が含まれる。
【００２５】
また、「通常時」とは、前記定着ローラに前記小さいサイズの記録紙が通紙されるときにおいて、前記模擬発熱手段による誘導発熱の温度が前記予め定められた温度を超えていない時をいう。
【発明の効果】
【００２６】
本発明によれば、簡便に、コスト低く、かつ騒音を生じさせることもなく、記録紙が通紙されない定着ローラの領域があっても、かかる非通紙領域の温度を的確に制御でき、また、定着ローラの速度に関らずに定着ローラの加熱領域の正しい温度に基づいた定着ローラの温度制御をすることができる。
【発明を実施するための最良の形態】
【００２７】
以下、本発明の一実施形態に係る複写機１について図面を参照して説明する。
【００２８】
図１は、本発明の一実施形態に係る複写機１を概略的に示す図である。
【００２９】
複写機１は、特許請求の範囲の記載における「画像形成装置」の一例である。
【００３０】
複写機１は、画像形成機構Ｉと、記録紙搬送経路Ｌと、定着装置３００と、制御部１００とを備える。
【００３１】
記録紙搬送経路Ｌは、複写機１の下部に設けられた給紙装置から記録紙搬送経路Ｌへ当該給紙装置に積載された記録紙Ｐを搬入させ、搬入された記録紙Ｐを、記録紙搬送経路Ｌの下流側へと搬送する。
【００３２】
画像形成機構Ｉは、この記録紙搬送経路Ｌの途中に設けられ、感光体ドラムなどを備えており、この感光体ドラム等によって、記録紙搬送経路Ｌにより当該画像形成機構Ｉの位置に搬送されてくる記録紙Ｐに、複写機１が印刷を行なう画像のトナー像を形成する。
【００３３】
定着装置３００は、記録紙搬送経路Ｌにおけるこの画像形成機構Ｉよりも下流側に設けられており、画像形成機構Ｉによりトナー像が形成されてから、記録紙搬送経路Ｌにより当該定着装置３００へ搬送されてくる記録紙Ｐに定着処理を施し、つまり、記録紙Ｐを加熱することにより、画像形成機構Ｉにより記録紙Ｐに形成されたトナー像を当該記録紙Ｐへ定着させる。
【００３４】
定着装置３００は、定着ローラ３１０と、圧ローラ３１０ｐとを備える。
【００３５】
定着ローラ３１０は、特許請求の範囲の記載における「定着ローラ」の一例である。
【００３６】
定着ローラ３１０は、定着装置３００内部に設けられた誘導加熱部３２０（図２）により加熱されて、記録紙搬送経路Ｌにより当該定着ローラ３１０へ通紙される記録紙Ｐに熱を付与することにより、記録紙Ｐに定着処理をする。
【００３７】
他方、圧ローラ３１０ｐは、記録紙搬送経路Ｌを挟んで定着ローラ３１０に対向配置され、定着ローラ３１０に押圧当接して、押圧当接する定着ローラ３１０との間に記録紙搬送経路Ｌにより記録紙Ｐが通紙されると、通紙される記録紙Ｐを定着ローラ３１０に密着させて、定着ローラ３１０により記録紙Ｐに定着処理をさせる。
【００３８】
制御部１００は、この定着装置３００など、複写機１各部の動作を制御する情報処理装置であり、たとえば、ＣＰＵ、ＲＯＭ、ＲＡＭ等を備えたプログラム内蔵方式のコンピュータや、ＡＳＩＣ（Application Specific Integrated Circuit）などによって構成される。
【００３９】
制御部１００は、定着装置３００と制御信号線により接続し、定着装置３００の温度センサ等から情報を取得すると共に、定着装置３００に対して制御信号を入力することにより、定着装置３００に適切な動作をさせる。
【００４０】
図２は、定着装置３００（図１）が備える本体部３００ａと模擬発熱部３００ｂとを示す図である。図２は、図１の下側（記録紙搬送経路Ｌの上流側）から図１の上側（記録紙搬送経路Ｌの下流側）への記録紙搬送方向（ｙ方向：図１，図２）を図２における右から左への方向（ｙ方向：図２）として、そして、図２の上側に定着ローラ３１０が、下側に他方の圧ローラ３１０ｐがくるように図示をしている。
【００４１】
定着装置本体部３００ａは、定着ローラ３１０および圧ローラ３１０ｐと共に、誘導加熱部３２０と、温度センサ（第一の温度センサ）３１０ｓとを備える。そして、誘導加熱部３２０は、加熱コイル（第一の加熱コイル）３２０ｃと、高誘電率保持部材３２０ｈとを備える。
【００４２】
誘導加熱部３２０は、特許請求の範囲の記載における「誘導加熱手段」の一例である。そして、第一の加熱コイル３２０ｃは、特許請求の範囲の記載における「（第一の）コイル」の一例である。
【００４３】
第一の加熱コイル３２０ｃは、定着ローラ３１０の内部に設けられており、配線Ｃから電力を受けて磁束を発生して、この磁束によって定着ローラ３１０に誘導電流を生じさせることで、定着ローラ３１０を誘導加熱する。ここで、この第一の加熱コイル３２０ｃは、加熱効率をよくするため、加熱を行なう、定着ローラ３１０の加熱領域３１０ｒのごく近傍に設けられる。ここで加熱領域３１０ｒは、定着ローラ３１０が圧ローラ３１０ｐから押圧されて、記録紙Ｐが通過する、定着ローラ３１０のニップ部である。
【００４４】
温度センサ（第一の温度センサ）３１０ｓは、定着ローラ３１０の温度を検出する。ここで、第一の温度センサ３１０ｓは、定着ローラ３１０が記録紙Ｐに定着処理をする温度を制御部１００が検出し、この温度を適切に制御するために用いられるので、定着ローラ３１０が定着処理をする上述した加熱領域３１０ｒの温度を的確に検出するようにしたいが、加熱領域３１０ｒの近傍には、上述した加熱コイル３２０ｃや高誘電率保持部材３２０ｈ、圧ローラ３１０ｐ、記録紙Ｐの搬送経路Ｌなどがあるので、レイアウトの制約がきつく、第一の温度センサ３１０ｓは、かかる加熱領域３１０ｒからから少し離れた位置、より具体的には、加熱領域３１０ｒから、記録紙が通紙される回転方向（図２における時計回り方向）の側に向けて、定着ローラ３１０が少し離れた位置に設けられている。
【００４５】
このため、この第一の温度センサ３１０ｓは、定着ローラ３１０が加熱領域３１０ｒから第一の温度センサ３１０ｓまで回転する時間だけズレて、現在は第一の温度センサ３１０ｓの位置にあるが、このズレの時間分だけ過去には、加熱領域３１０ｒにあった定着ローラ３１０の部分の温度を検出することにより、このズレ時間分だけズレた過去の加熱領域３１０ｒの温度を検出する。ただし、定着ローラ３１０の回転速度が通常の速度であれば、このズレ時間は小さく、第一の温度センサ３１０ｓは実質的に現在の加熱領域３１０ｒの温度を検出することができる。
【００４６】
ただし、第一の温度センサ３１０ｓは、たとえば、記録紙搬送経路Ｌの少なくとも一部が機械的なロックにより停止した場合など、定着ローラ３１０の駆動機構がロック等どの何らかの原因により停止したときには、上述したような定着ローラ３１０の回転がなくなるので、正しい現在の加熱領域３１０ｒの温度を遅れなく検出することができなくなる。このときには、定着ローラ３１０のこの第一の温度センサ３１０ｓの位置は、熱が定着ローラ３１０から放熱することにより、しだいに低い温度となるので、第一の温度センサ３１０ｓはかかる温度低下を検出する。このとき、かかる温度低下は、加熱領域３１０ｒが誘導加熱部３２０から誘導加熱され続けていても起きる。
【００４７】
そして、また、記録紙搬送経路Ｌにより記録紙Ｐの搬送が半分の速度で行なわれる半速モードで複写機１が動作しているときも、定着ローラ３１０が通常のときの半分の速度でしか回転されず、第一の温度センサ３１０ｓは、通常時の２倍の時間まで遅れたかなり古い加熱領域３１０ｒの温度を検出することとなる。このときにも、第一の温度センサ３１０ｓは、誤った温度を検出する。
【００４８】
なお、高誘電率保持部材３２０ｈは、加熱コイル３２０ｃの磁束により無駄な電波が出てしまうことを抑制する。
【００４９】
他方、模擬発熱部３００ｂは、第二の加熱コイル３５０ｃと、発熱体３５０ｈと、第二の温度センサ３５０ｓと、サーモスタット３５０Ｓｗとを備える。
【００５０】
模擬発熱部３００ｂは、特許請求の範囲の記載における「模擬発熱手段」の一例である。そして、第二の加熱コイル３５０は、特許請求の範囲の記載における「第二のコイル」の一例である。
【００５１】
模擬発熱部３００ｂは、配線Ｃにより先に説明した本体部３００ａの誘導加熱部３２０に直列に接続されており、接続されたこの誘導加熱部３２０が定着ローラ３１０を誘導加熱するときに、この誘導加熱と同時に、誘導発熱を行なう。
【００５２】
第二の加熱コイル３５０ｃは、模擬発熱部３００ｂに接続する配線Ｃにつなげられており、これにより、上述した、本体部３００ａ側の誘導加熱部３２０が有する第一の加熱コイル３２０ｃと共に、第一の加熱コイル３２０ｃに対して直列に配線Ｃにつながれ、この第一の加熱コイル３２０ｃが磁束を発生して誘導加熱部３２０が定着ローラ３１０に誘導加熱を行なうときに、同時に磁束を発生する。
【００５３】
発熱体３５０ｈは、第二の加熱コイル３５０ｃが発生するこの磁束を受けて誘導電流を生じて誘導発熱を行なう。
【００５４】
模擬発熱部３００ｂは、これら第二の加熱コイル３５０ｃおよび発熱体３５０ｈにより、本体部３００ａ側で誘導加熱部３２０が定着ローラ３１０に誘導加熱をするときに同時に、第二の加熱コイル３５０ｃで磁束を生じて、発熱体３５０ｈに誘導電流を流れることによって誘導発熱を行なう。
【００５５】
なお、模擬発熱部３００ｂは、定着装置本体部３００ａ側の上述した第一の加熱コイル３２０ｃの生じる磁束による影響を受けず、特に、第一の加熱コイル３２０ｃの磁束によって発熱体３５０ｈが誘導発熱をしない位置に設けられている。
【００５６】
以下では、模擬発熱部３００ｂのこの発熱体３５０ｈの温度のことを、定着ローラ３１０の加熱領域３１０ｒ等の温度と対比して、単に、模擬発熱部３００ｂの温度と呼ぶ。
【００５７】
模擬発熱部３００ｂの温度（発熱体３５０ｈの温度）は、定着ローラ３１０が誘導加熱部３２０から誘導加熱されるのと同時に模擬発熱部３００ｂで誘導発熱がされることにより、定着ローラ３１０の加熱領域３１０ｒに加えられる熱量の変化に合わせて温度変化して、定着ローラ３１０の加熱領域３１０ｒに加えられる熱量に対して、たとえば略比例や、あるいは略線型などの一定の相関関係を有する温度となり、これにより、模擬発熱部３００ｂの温度は、加熱領域３１０ｒの（非通紙部の）温度を特定する温度になる。ここに、「特定する」とは、完全に特定することだとしてもよいのは勿論、ある程度の誤差を含んで特定する場合、一定の範囲内に特定する場合などを含む。
【００５８】
第二の温度センサ３５０ｓは、かかる加熱領域３１０ｒの温度を特定する模擬発熱部３００ｂの温度を検出する。
【００５９】
サーモスタット３５０Ｓｗは、自己の温度が一定の温度（以下、安全装置動作温度と呼ぶ）以上であるとオフ状態になるスイッチである。そして、サーモスタット３５０Ｓｗは模擬発熱部３００ｂの温度を検出して、模擬発熱部３００ｂの温度が安全装置動作温度以上であるとオフ状態になる。そして、サーモスタット３５０Ｓｗは、上述した２つの加熱コイル３２０ｃおよび３５０ｃを直列に接続する配線Ｃに、これら２つの加熱コイル３２０ｃおよび３５０ｃと共に直列に接続されており、模擬発熱部３００ｂの温度がその安全装置動作温度以上であるときには、配線Ｃによるこれら２つの加熱コイル３２０ｃおよび３５０ｃへの電力供給を切り、これによって、誘導加熱部３２０による定着ローラ３１０の誘導加熱を停止させる。
【００６０】
サーモスタット３５０Ｓｗは、「過電流防止器」の一例である。
【００６１】
第二の温度センサ３５０ｓおよびサーモスタット３５０Ｓｗは、第一の温度センサ３１０ｓが、定着ローラ３１０の加熱領域３１０ｒの近傍に設けることができないのと違い、この模擬発熱部３００ｂの近傍ではレイアウト上の制約少なく、自由にこの模擬発熱部３００ｂの近傍で、それら第二の温度センサ３５０ｓおよびサーモスタット３５０Ｓｗを設ける位置をそれぞれ選ぶことができる。このため、これら第二の温度センサ３５０ｓおよびサーモスタット３５０Ｓｗは、それらの検出温度が、模擬発熱部３００ｂの温度に対して遅れなく、模擬発熱部３００ｂの温度が変化するとこれら検出温度も即時に同一の変化をする位置を選んで配置されている。
【００６２】
そして、上述の通り、模擬発熱部３００ｂの温度は、定着ローラ３１０の加熱領域３１０ｒの温度変化に合わせて同時に変化して、略比例などの相関関係が加熱領域３１０ｒの温度に対してある温度となるので、これらの検出温度も、定着ローラ３１０の加熱領域３１０ｒの温度変化に合わせて同時に変化して、略比例などの相関関係ある温度となる。
【００６３】
図３は、小さいサイズの記録紙Ｐｓ（図４参照）が定着ローラ３１０に通紙された場合における、定着ローラ３１０の記録紙Ｐｓが通紙される領域３１０ｃおよび通紙がされない領域３１０ｔを示す図である。
【００６４】
図３を参照して、更に、第二の温度センサ３５０ｓおよびサーモスタット３５０Ｓｗの検出温度について説明する。
【００６５】
記録紙Ｐｓは、様々な種類の記録紙Ｐのうちで比較的、小さいサイズの記録紙である。
【００６６】
記録紙Ｐｓは、定着ローラ３１０の長手方向、つまり定着ローラ３１０の回転軸が伸びる方向（ｚ方向：図３）の幅ｗ１が、定着ローラ３１０の当該長手方向の長さｗ２よりも短い。このため、記録紙Ｐｓが定着ローラ３１０に通紙されるときには、定着ローラ３１０は長手方向に記録紙Ｐｓの幅ｗ１の領域３１０ｃに記録紙Ｐｓが通紙されるだけとなり、この通紙がされる領域３１０ｃよりも長手方向に外側の、定着ローラ３１０全体の長手方向の幅ｗ２から、この中央部の領域３１０ｃの幅ｗ１を引いた、「幅ｗ２−幅ｗ１」の長さの幅である端部（周辺部）の領域３１０ｔには記録紙Ｐｓが通紙されない。
【００６７】
そして、かかる端部の領域３１０ｔでは、誘導加熱部３２０の誘導加熱（図２参照）により定着ローラ３１０に与えられる熱が、通紙される記録紙Ｐｓに奪われず、つまり記録紙Ｐｓにより定着ローラ３１０のかかる端部の領域３１０ｔは冷却されず、この端部の領域３１０ｔでは、中央部の領域３１０ｃよりも温度が相対的に高くなる。これにより、端部の領域３１０ｔでは温度が高く、中央部の領域３１０ｃでは温度が低い温度勾配が定着ローラ３１０において長手方向に生じる。
【００６８】
図４は、定着ローラ３１０に生じる温度勾配と、かかる温度勾配を解消させる動作をする複写機１の各構成とを示す図である。
【００６９】
図４の下部のグラフでは、小さいサイズの記録紙Ｐｓ（図３参照）が定着ローラ３１０に通紙された場合に定着ローラ３１０で長手方向に生じる温度勾配を示している。
【００７０】
図４のグラフでは、横軸に、定着ローラ３１０の長手方向の各位置をとり、また、縦軸に、各位置での定着ローラ３１０の温度をとり、そして、データＳｍｌＴとして、小さいサイズの記録紙Ｐｓが定着ローラ３１０に通紙される場合の定着ローラ３１０の温度を、また、データＢｉｇＴとして、この記録紙Ｐｓよりも大きく、定着ローラ３１０に対して、当該定着ローラ３１０の長手方向の幅ｗ２一杯に通紙される大きなサイズの記録紙が定着ローラ３１０に通紙される場合の定着ローラ３１０の温度を、それぞれ、示している。
【００７１】
そして、このグラフでは、横軸に示した定着ローラ３１０の長手方向の各部の位置のうちで、上述した図３を参照して説明した定着ローラ３１０の端部の領域３１０ｔと、中央部の領域３１０ｃとの位置がどの位置であるかをそれぞれ二点差線および破線により区分して図示している。
【００７２】
このグラフにおいて、大きいサイズの記録紙のデータＢｉｇＴに示されているように、大きいサイズの記録紙が通紙されるときには、長手方向に全ての位置で、どこでも同じく、定着ローラ３１０の熱が記録紙へ逃げるので、どの位置でも定着ローラ３１０は略均一の温度になる。
【００７３】
これに対して、小さいサイズの記録紙Ｐｓ（図３）のデータＳｍｌＴに示されているように、小さいサイズの記録紙Ｐｓが通紙されるときには、図４で破線により示す位置の、定着ローラ３１０の中央部の領域３１０ｃでは、上述の大きなサイズの記録紙のデータＢｉｇＴのデータとおよそ同じ温度になるものの、図４で二点鎖線により示す位置の端部の領域３１０ｔのデータでは、中央部の領域３１０ｃのかかる温度よりも高い温度となる。
【００７４】
このため、小さいサイズの記録紙Ｐｓが定着ローラ３１０に通紙される場合には、本体部３００ａの第一の温度センサ３１０ｓは（図３、図４参照）、中央部の領域３１０ｃの長手方向の位置に設けられていてかかる温度勾配のうちで中央部の領域３１０ｃにおける温度を検出することから、端部の領域３１０ｔにおける上述した高い温度に対して、正しくない、誤った低い温度を検出することとなる。
【００７５】
このような第一の温度センサ３１０ｓの誤った低い検出温度Ｔ１に対して、第二の温度センサ３５０ｓやサーモスタット３５０Ｓｗの検出温度は次のようになる。
【００７６】
先述の通り、模擬発熱部３００ｂの温度は、定着ローラ３１０の温度を特定するものであるが、図４のグラフで示したように、定着ローラ３１０で温度勾配が生じたときには、模擬発熱部３００ｂには記録紙Ｐｓ（Ｐ）が通紙されず、熱が記録紙Ｐｓへ奪われることがなくて、端部の領域３１０ｔと同じようになり、端部の領域３１０ｔの温度を特定するものとなる。
【００７７】
このため、模擬発熱部３００ｂの温度は、図４のグラフで示したように、定着ローラ３１０で温度勾配が生じたときには、図４のデータＳｍｌＴに示した温度勾配のうちで高い温度の部分を構成する定着ローラ３１０の端部の領域３１０ｔの温度に相関した変化をして、相関した温度となる。つまり、模擬発熱部３００ｂの温度を検出した第二の温度センサ３５０ｓおよびサーモスタット３５０Ｓｗの検出温度Ｔ２は、それぞれ、記録紙Ｐｓが通紙されない端部の領域３１０ｔの温度に対して、たとえば略比例などの相関関係のある変化をして、相関関係のある温度になる。
【００７８】
結局、検出温度は、定着ローラ３１０の加熱領域３１０ｒに対して遅れなく相関した温度であると共に、図３、図４を参照して上記に説明した、小さいサイズの記録紙Ｐｓが定着ローラ３１０に通紙されるときには、単に、定着ローラ３１０の加熱領域３１０ｒの温度に相関するというだけでなく、温度勾配が生じると、温度勾配により高い温度となった端部の領域３１０ｔの温度に特に相関するものとなる。
【００７９】
サーモスタット３５０Ｓｗ（図２〜４）は、かかる自己の検出温度に基づいて、検出温度が安全装置動作温度未満であるときのみ、誘導加熱部３２０（図２参照）に定着ローラ３１０の誘導加熱をさせ、検出温度が安全装置動作温度以上のときには、誘導加熱部３２０（図２）への通電を切り、誘導加熱部３２０による定着ローラ３１０の誘導加熱を停止させる。
【００８０】
図５は、高周波ＯＮ／ＯＦＦ回路１００ｘを示す図である。
【００８１】
他方、図４、図５に示した高周波ＯＮ／ＯＦＦ回路１００ｘは、配線Ｃ上に設けられ、配線Ｃを通じた２つの加熱コイル３２０ｃ，３５０ｃへの商用電源からの電力供給をオン状態とオフ状態との間で切り替える。
【００８２】
また、通紙用モータＭｔｒ（図４）は、定着ローラ３１０に記録紙を通紙させるモータ
であり、たとえば、記録紙搬送経路Ｌ（図１）の一部などに設けられている。
【００８３】
そして、制御部１００には、ローラ温度制御機能部１００ｆが実現される。
【００８４】
このローラ温度制御機能部１００ｆは、制御部１００が有する、定着ローラ３１０の温度制御をする機能の機能ブロックである。
【００８５】
制御部１００は、「制御手段」の一例を構成する。
【００８６】
ここで、制御部１００は、たとえば従来品を用いて、従来品のソフトウェアを書き換えるだけなどで構成してもよい。この点については、図４においても、単に制御部１００だけを示すのでなく、かかる書き換えにより制御部１００に実現される機能の機能ブロックである、ローラ温度制御機能部１００ｆを明示して、明確にしている。
【００８７】
この実施形態でローラ温度制御機能部１００ｆが有する性質、機能、実行する動作などは、全て、制御部１００ｆがこれを有したり、実行したりして、実現するものである。
【００８８】
ローラ温度制御機能部１００ｆは、高周波ＯＮ／ＯＦＦ回路１００ｘを用いて誘導加熱部３２０による定着ローラ３１０の誘導加熱を制御する。また、ローラ温度制御機能部１００ｆは、通紙用モータＭｔｒにより定着ローラ３１０への記録紙の通紙を制御する。ローラ温度制御機能部１００ｆは、これらの制御をすることにより、定着ローラ３１０の温度制御を行なう。
【００８９】
ローラ温度制御機能部１００ｆが定着ローラ３１０の温度制御に用いるこれら高周波ＯＮ／ＯＦＦ回路１００ｘおよび通紙用モータＭｔｒのことを、温度変化装置１００ｍと呼ぶ。これら温度変化装置１００ｍに含まれる、高周波ＯＮ／ＯＦＦ回路１００ｘおよび通紙用モータＭｔｒは、ローラ温度制御機能部１００ｆが動作を制御して、定着ローラ３１０の温度を変化させることができるものである。
【００９０】
図６は、ローラ温度制御機能部１００ｆが定着ローラ３１０の温度制御をするタイミングを示すタイミングチャートである。
【００９１】
図６では、上段（Ａ）に、定着装置本体部３００ａにおいて第一の温度センサ３１０ｓに検出される検出温度Ｔ１を、また、下段（Ｂ）には、第二の温度センサ３５０ｓおよびサーモスタット３５０Ｓｗによって検出される模擬発熱部３００ｂの温度の検出温度Ｔ２を示している。
【００９２】
タイミングｔ０は、複写機１が、ユーザにより印刷開始ボタンが押される等によって、定着装置３００の立ち上げを開始するタイミングである。
【００９３】
タイミングｔ１は、複写機１が、この立ち上げを完了したタイミングである。このときには、図６の上段（Ａ）に示すように、定着ローラ３１０は、記録紙への定着処理を適切にできる温度つまり定着温度（例えば１８０℃）になっている。
【００９４】
複写機１は、このタイミングｔ１から、画像形成機構Ｉ（図１）等により記録紙Ｐへの印字を開始する。
【００９５】
図７は、ローラ温度制御機能部１００ｆが行なう、定着ローラ３１０の温度を１８０℃に保つ温度制御処理を示すフローチャートである。
【００９６】
図７における、タイミングｔ１〜ｔ３は、ローラ温度制御機能部１００ｆが、このステップＳ１の処理により、定着ローラ３１０の温度を１８０℃に維持させた期間を示している。
【００９７】
ステップＳ１１においては、ローラ温度制御機能部１００ｆは、複写機１が行なっている印刷が、半速モードではない通常のモードでの印刷か、半速モードでの印刷かいずれであるかを特定する。
【００９８】
ステップＳ１２では、ローラ温度制御機能部１００ｆは、ステップＳ１１で複写機１が半速モードではない通常モードでの印刷をしていると特定された場合に（ステップＳ１１：ＮＯ）、定着ローラ３１０の温度制御を、定着装置本体部３００ａの第一の温度センサ３１０ｓの検出温度Ｔ１に基づいて行なう。このときには、通常の速度で定着ローラ３１０が回転しているので、第一の温度センサ３１０ｓの検出温度Ｔ１は、遅れなく、正しく定着ローラ３１０の加熱領域３１０ｒの温度を検出した温度となる。そこで、このときには、ローラ温度制御機能部１００ｆは、第一の温度センサ３１０ｓの検出温度Ｔ１に基づいて、高周波ＯＮ／ＯＦＦ回路１００ｘ（図４参照）を用いて誘導加熱部３２０による定着ローラ３１０の誘導加熱を制御することにより、加熱領域３１０ｒが１８０℃になるようにする。
【００９９】
他方、ステップＳ１３では、ローラ温度制御機能部１００ｆが、先のステップＳ１１で、複写機１が半速モードでの印刷をしていることが特定された場合に（ステップＳ１１：ＹＥＳ）、定着ローラ３１０を１８０℃に維持させる処理を行なう。
【０１００】
このときには、先述の通り、第一の温度センサ３１０ｓの検出温度Ｔ１は、定着ローラ３１０の加熱領域３１０ｒの現在の正しい温度とは異なった、遅れのある不正確な温度となっている。
【０１０１】
また、半速モード時の場合、１枚の用紙に対して必要な熱量は一定であるのに、搬送速度は半分になって、定着時間が２倍になり、単位時間内に通紙領域の記録紙により奪われる熱量が減少することにより、定着ローラ３１０の非通新領域と通紙領域との温度差が小さくなる。
【０１０２】
そこで、ローラ温度制御機能部１００ｆは、このステップＳ１３では、第二の温度センサ３１０ｓの検出温度Ｔ２を用いる。
【０１０３】
ローラ温度制御機能部１００ｆは、定着ローラ３１０の加熱領域３１０ｒの温度を１８０℃とする第二の温度センサ３１０ｓの目標温度（たとえば９０℃）を予め記憶しており、第二の温度センサ３１０ｓの検出温度Ｔ２がこの目標温度（９０℃）以上になると、高周波ＯＮ／ＯＦＦ回路１００ｘ（図４参照）により、誘導加熱部３２０による定着ローラ３１０の誘導加熱を停止させて、これにより、模擬発熱部３００ｂの温度を当該目標温度１００℃に維持させて、定着ローラ３１０の加熱領域３１０ｒの温度を目標温度（９０℃）に対応する定着ローラ３１０側の温度である、定着温度（１８０℃）に維持させる。
【０１０４】
図６下段のタイミングｔ１〜ｔ２における、第二の温度センサ３１０ｓの検出温度Ｔ２が上述した目標温度（９０℃）の期間は、ローラ温度制御機能部１００ｆが、このステップＳ１３の処理をして、定着ローラ３１０の加熱領域３１０ｒの温度を定着温度（１８０℃）に維持させた期間を示しており、加熱領域３１０ｒの温度（定着温度：１８０℃）が、定着ローラ３１０の回転による検出遅れの時間分遅れながら（図２の説明を参照）、第一の温度センサ３１０ｓにより１８０℃（定着温度）と、図６上段のタイミングｔ１〜ｔ２に示すように検出される。
【０１０５】
ステップＳ１ｒは、ローラ温度制御機能部１００ｆが、以上、説明したステップＳ１１〜Ｓ１３の処理を繰り返し実行させて（ステップＳ１ｒ：ＮＯ）、定着ローラ３１０の温度を継続して定着温度１８０度に維持する繰り返し制御処理を示している。
【０１０６】
図８は、ローラ温度制御機能部１００ｆが、定着ローラ３１０の温度勾配を抑制する温度制御処理を示すフローチャートである。
【０１０７】
ステップＳ２１で、ローラ温度制御機能部１００ｆは、小さなサイズの記録紙Ｐｓ（図３参照）が定着ローラ３１０に通紙されているか否かを特定し、小サイズの記録紙Ｐｓが通紙されていることが特定されると（ステップＳ２１：ＹＥＳ）、ステップＳ２２〜Ｓ２３の処理をする。
【０１０８】
ステップＳ２２で、ローラ温度制御機能部１００ｆは、第二の温度センサ３５０ｓの検出温度が定着ローラ許容温度限界（例えば１００℃）よりも高い温度か否かを判定する。
【０１０９】
ここで、この定着ローラ許容温度限界とは、定着ローラ３１０の端部の領域３１０ｔの温度が許容限度レベル（例えば２００℃）まで高くなったときに、その温度上昇に合わせた模擬発熱部３００ｂでの誘導発熱による温度上昇で模擬発熱部３００ｂがなる温度である。
【０１１０】
そして、ここで、定着ローラ３１０の温度の許容限度レベルとは、たとえば、定着ローラ３１０においていわゆるホットオフセットが生じない限度の温度である。
【０１１１】
定着ローラ許容温度限界は、特許請求の範囲の請求項４の記載における「予め定められた温度」の一例である。
【０１１２】
ローラ温度制御機能部１００ｆは、第二の温度センサ３５０ｓの検出温度Ｔ２がこの定着ローラ３１０の許容温度限界（１００℃）より高い温度のときには（ステップＳ２２：ＹＥＳ）、次のステップＳ２３の処理を実行する。
【０１１３】
ステップＳ２３で、ローラ温度制御機能部１００ｆは、誘導加熱部３２０による定着ローラ３１０の誘導加熱を抑制することにより、定着ローラ許容温度限界になった定着ローラ３１０の端部の領域３１０ｔが更に昇温することを防ぐ。
【０１１４】
そして、このステップＳ２３で、ローラ温度制御機能部１００ｆは、通紙用モータＭｔｒを制御して、定着ローラ３１０への記録紙Ｐｓへの通紙間隔を通常時の通紙間隔よりも広い通紙間隔にさせる。ここで、通常時の通紙間隔とは、ステップＳ２２でローラ温度制御機能部１００ｆが第二の温度センサ３５０ｓの検出温度Ｔ２が定着ローラ許容温度限界以下と判定した場合（ステップＳ２２：ＮＯ）の時に、通紙がされる間隔である。ローラ温度制御機能部１００ｆは、これにより、温度勾配により端部の領域３１０ｔに多く蓄積された熱が（図４下段のグラフのデータＳｍｌＴを参照）、中央部の領域３１０ｃへ移ることができる時間を長くしてやることにより、端部の領域３１０ｔから中央部の領域３１０ｃへ熱を移させるとともに、小さな記録紙Ｐｓが通紙され、小さな記録紙Ｐｓに定着処理を実行するために多くの熱量の必要な中央部の領域３１０ｃに、端部の領域３１０ｔから熱を補給させる。
【０１１５】
ローラ温度制御機能部１００ｆは、第二の温度センサ３５０ｓの検出温度Ｔ２が上述した定着ローラ許容温度限界（１００℃）以下となるまで、誘導加熱部３２０による誘導加熱を停止させると共に、定着ローラ３１０への次の記録紙Ｐｓの通紙をさせず、通紙間隔を広げさせることにより、定着ローラ３１０の温度勾配を解消させつつ、端部の領域３１０ｔの温度を許容温度レベル（２００℃）以下とさせる。
【０１１６】
図８の下段のタイミングｔ３〜ｔ４では、ローラ温度制御機能部１００ｆが、かかる図８のステップＳ２の処理を繰り返し実行することにより（ステップＳ２ｒ：ＮＯ）、第二の温度センサ３５０ｓの検出温度Ｔ２が１００℃近辺で推移し、これにより端部の領域３１０ｔの温度が許容温度レベルを超えないときのことを示している。そして、このときには、上述したように、ローラ温度制御機能部１００ｆにより通紙間隔が長くされて、端部の領域３１０ｔおよび中央部の領域３１０ｃの温度勾配が解消されているので、タイミングｔ３〜ｔ４の上段の温度Ｔ１に示されているように、継続して中央部の領域３１０ｃの温度が定着温度（１８０℃）に維持される。
【０１１７】
図９は、サーモスタット３５０Ｓｗの動作を示すフローチャートである。
【０１１８】
図９を参照して、サーモスタット３５０Ｓｗの動作について詳しく説明する。
【０１１９】
図６のタイミングｔ４は、たとえば定着ローラ３１０と通紙用モータＭｔｒ（図４）との間にあるギア等がロックすることなど、定着ローラ３１０の駆動機構でロックが生じて、定着ローラ３１０が停止したタイミングを示している。
【０１２０】
このときには、定着ローラ３１０が停止しているので、第一の温度センサ３１０ｓの検出温度Ｔ１が低下する。この温度低下の一例を、図７上段（Ａ）のタイミングｔ４〜ｔ５に示した。
【０１２１】
サーモスタット３５０Ｓｗは、このときに、このような検出温度の低下につれて、定着ローラ３１０の温度を回復させるべく誤って複写機１において誘導加熱部３２０が定着ローラ３１０の誘導加熱を続けたタイミングｔ４以降の図７下段（Ｂ）に示す、当該サーモスタット３５０Ｓｗの温度上昇により、自己の温度つまり自己の検出温度Ｔ２が、先述した安全装置動作温度（図６では１２５℃）になると（タイミングｔ５、ステップＳ３１：ＹＥＳ）、誘導加熱部３２０による定着ローラ３１０への誘導加熱を停止させる（ステップＳ３２）。サーモスタット３５０Ｓｗは、サーモスタット３５０Ｓｗの検出温度Ｔ２が安全装置動作温度の間は、継続して、誘導加熱を停止させ続ける（ステップＳ３ｒ：ＮＯ、ステップＳ３１：ＹＥＳ）。
【０１２２】
サーモスタット３５０Ｓｗには、安全装置動作温度として、タイミングｔ４〜ｔ５の期間に示したように、ロックにより定着ローラ３１０が誤って停止して、第一の温度センサ３１０ｓの検出温度Ｔ１が下がることから（図６上段（Ａ））、無闇に誘導加熱部３２０による定着ローラ３１０の誘導加熱が続けられた結果、当該誘導加熱と同時の模擬発熱部３００ｂの誘導発熱により模擬発熱部３００ｂがなる温度（たとえば１２５℃：図６下段（Ｂ）参照）が選ばれている。
【０１２３】
特許請求の請求項２の記載における「（通電が切られる）温度」は、かかるサーモスタット３５０Ｓｗの安全装置動作温度に設定される温度により、一例が示される。
【０１２４】
なお、サーモスタット３５０Ｓｗは、当該サーモスタット３５０Ｓｗの検出温度がこの安全装置動作温度となると（ステップＳ３１：ＹＥＳ）、第一の温度センサ３１０ｓの検出温度Ｔ１が定着温度（１８０℃）以下でも（図６のタイミングｔ３〜ｔ４を参照）、かかる第一の温度センサ３１０ｓの検出温度に応じた制御部１００の動作等に拘わらずに、誘導加熱部３２０の誘導加熱を停止させるものとする。
【０１２５】
最後に、他の実施形態について説明する。
【０１２６】
（Ａ）サーモスタット３５０Ｓｗに代えて、温度ヒューズを用いるものとしてもよい。この温度ヒューズも、第一および第二の加熱コイル３２０ｃ，３５０ｃに対して直列に接続され、そして、上述したサーモスタット３５０Ｓｗの場合と同様に、そのサーモスタット３５０Ｓｗ自身の温度が安全装置動作温度になると（ステップＳ３１：ＹＥＳ）、誘導加熱部３２０による誘導加熱を停止させるものとする（ステップＳ３２）。
【０１２７】
（Ｂ）ローラ温度制御機能部１００ｆが、図９の説明におけるサーモスタット３５０Ｓｗの安全装置動作温度に基づいて、定着ローラ３１０の温度制御をしてもよい。たとえば、ローラ温度制御機能部１００ｆは、第一の温度センサ３１０ｓの検出温度Ｔ１が定着温度１８０℃より低くとも（図６上段（Ａ）のタイミングｔ４〜ｔ５など）、第二の温度センサ３５０ｓの検出温度Ｔ２が、この安全装置動作温度以上であると（図９のステップＳ３１：ＹＥＳ参照）、高周波ＯＮ／ＯＦＦ回路１００ｘにより、誘導加熱部３２０による定着ローラ３１０の誘導加熱を停止させるものとする（図９のステップＳ３２参照）。こうすれば、サーモスタット３５０Ｓｗが誘導加熱を停止させる場合と異なり、停止される温度を、ローラ温度制御機能部１００ｆの設定によって容易に変更して微調整などの調整を容易に行なうことができる。
【０１２８】
なお、サーモスタット３５０Ｓｗの安全装置動作温度を、図８の説明で述べた定着ローラ許容温度限界にしてもよい。そして、このサーモスタット３５０Ｓｗは、制御部１００によるスイッチ操作などにより、小サイズの紙が通紙されているときのみ、配線Ｃに接続されて（図８のステップＳ２１参照）、誘導加熱部３２０による定着ローラ３１０の誘導加熱を停止可能になるものとする。こうすれば、サーモスタット３５０Ｓｗにより、簡便に、温度勾配が生じることを抑制することができる。
【図面の簡単な説明】
【０１２９】
【図１】実施形態に係る複写機を概略的に示す図である。
【図２】定着装置が備える本体部と模擬発熱部とを示す図である。
【図３】記録紙が通紙される領域と、通紙されない領域とを示す図である。
【図４】定着ローラに生じる温度勾配と、温度勾配を解消させる動作をする複写機の各部の構成とを示す図である。
【図５】高周波ＯＮ／ＯＦＦ回路を示す図である。
【図６】ローラ温度制御機能部が定着ローラの温度制御をするタイミングを示すタイミングチャートである。
【図７】ローラ温度制御機能部が行なう、定着ローラの温度を１８０℃に保つ温度制御処理のフローチャートである。
【図８】ローラ温度制御機能部が行なう、定着ローラの温度勾配を抑制する温度制御処理を示すフローチャートである。
【図９】サーモスタットの動作を示すフローチャートである。
【符号の説明】
【０１３０】
ＢｉｇＴ  大きいサイズの記録紙が通紙される場合の定着ローラの温度
ＳｍｌＴ  小さいサイズの記録紙が通紙される場合の定着ローラの温度
Ｃ  配線
Ｉ  画像形成機構
Ｌ  記録紙搬送経路
Ｍｔｒ  通紙用モータ
Ｐ  記録紙
Ｐｓ  小さいサイズの記録紙
ｗ１  記録紙Ｐｓの幅
ｗ２  定着ローラ３１０の幅
１  複写機（画像形成装置）
１００  制御部（制御手段）
１００ｆ  ローラ温度制御機能部
１００ｍ  温度変化装置
１００ｘ  高周波ＯＮ／ＯＦＦ回路
３００  定着装置
３００ａ  定着装置本体部
３００ｂ  模擬発熱部（模擬発熱手段）
３１０  定着ローラ（定着ローラ）
３１０ｐ  圧ローラ
３１０ｒ  加熱領域
３１０ｃ  定着ローラ３１０の通紙がされる領域（通紙領域）
３１０ｔ  定着ローラ３１０の通紙がされない領域（非通紙領域）
３１０ｓ  第一の温度センサ
３２０  誘導加熱部（誘導加熱手段）
３２０ｃ  第一の加熱コイル（（第一の）コイル）
３２０ｈ  高誘電率保持部材
３５０ｃ  第二の加熱コイル（第二のコイル）
３５０ｈ  発熱体
３５０ｓ  第二の温度センサ
３５０Ｓｗ  サーモスタット（過電流防止器）
【図１】
2008209869.tif 000003
【図２】
2008209869.tif 000004
【図３】
2008209869.tif 000005
【図４】
2008209869.tif 000006
【図５】
2008209869.tif 000007
【図６】
2008209869.tif 000008
【図７】
2008209869.tif 000009
【図８】
2008209869.tif 000010
【図９】
2008209869.tif 000011